(57)【特許請求の範囲】
【請求項１】
上面開放部を蓋又はフラップにより閉塞されて六面体の外観を呈する箱体と、
この箱体の底面上に敷き込まれるベースシートと、
四つの面状仕切体とを有しており、
この四つの面状仕切体は、それぞれその一端部を前記箱体の隣り合うコーナーの一方に内接させ且つその他端部を前記箱体の隣り合うコーナーの他方に内接させて弓状に湾曲された状態で前記ベースシート上において前記箱体内に納められてこの箱体内の空間を五つに区分するようになっており、
この面状仕切体における前記ベースシートに接する辺部は頂部を持った波形状に成形されていると共に、
前記ベースシートは前記頂部が食い込み又はこの頂部と噛み合う構造となっていることを特徴とする包装箱。
【請求項２】
四つの面状仕切体のうちの二つの面状仕切体又は三つの面状仕切体は、折り目を介して連接されこの折り目に沿った折りを施されると共に、この折られた箇所を箱体のコーナーに内接される端部としてこの箱体内に納められるようになっていることを特徴とする請求項１に記載の包装箱。
【請求項３】
幅と長さを持った板紙の幅方向中程の位置を通ってこの板紙を二分する仮想の直線に沿って、
この板紙に対しその両端部につなぎ目を、両つなぎ目間に切れ目を施すと共に、このつなぎ目に前記仮想の直線に沿った第一の折り目を施し、
かつ、この板紙に、前記仮想の直線を挟んだ両側においてそれぞれ、幅方向に沿った第二の折り目を一箇所施し、
この第一及び第二の折り目に沿った折りを施すことにより四つの面状仕切体が構成されるようになっていることを特徴とする請求項１に記載の包装箱。
【発明の詳細な説明】
【技術分野】
【０００１】
この発明は、包装箱の改良に関する。
【背景技術】
【０００２】
包装箱を利用した包装では、箱内での被包装物のがさつきを抑止する観点、ないしは、被包装物を保護する観点から、被包装物を緩衝材で包んだり、被包装物と箱内面との間の隙間に緩衝材を介装などさせている。こうした緩衝材としては、気泡緩衝材や、発泡スチロールなどが利用されている。
【発明の概要】
【発明が解決しようとする課題】
【０００３】
この発明が解決しようとする主たる問題点は、箱体内での被包装物のがさつきの抑止ないし保護を、簡素な構造を持って効果的になし得る内装部材を備えた包装箱を提供する点にある。
【課題を解決するための手段】
【０００４】
前記課題を達成するために、この発明にあっては、包装箱を、上面開放部を蓋又はフラップにより閉塞されて六面体の外観を呈する箱体と、
この箱体の底面上に敷き込まれるベースシートと、
四つの面状仕切体とを有しており、
この四つの面状仕切体は、それぞれその一端部を前記箱体の隣り合うコーナーの一方に内接させ且つその他端部を前記箱体の隣り合うコーナーの他方に内接させて弓状に湾曲された状態で前記ベースシート上において前記箱体内に納められてこの箱体内の空間を五つに区分するようになっており、
この面状仕切体における前記ベースシートに接する辺部は頂部を持った波形状に成形されていると共に、
前記ベースシートは前記頂部が食い込み又はこの頂部と噛み合う構造となっているものとした。
【０００５】
四つの面状仕切体はそれぞれ、前記のように弓状に湾曲された状態で、箱体の隣り合うコーナー間にある側面との間に他の空間から区分された空間を形成させる。また、このように弓状に湾曲された四つの面状仕切体の湾曲外側には、かかる四つの面状仕切体によって、箱体の中央に他の空間から区分された空間が形成される。かかる四つの面状仕切体による箱体内の空間の区分状態は、前記頂部をベースシートに食い込ませ又は噛み合わせることで、安定的に維持される。前記面状仕切体は前記のように区分された空間への被包装物の納め入れにより、かかる被包装物の形状や大きさによってこの面状仕切体の両端部間においてさらに変形させることができ、かかる変形状態も前記頂部をベースシートに食い込ませ又は噛み合わせることで、安定的に維持される。これにより、四つの面状仕切体によって区分された箱体内の各空間の全部又は一部に、がさつきなく被包装物を納め保持させることができ、気泡緩衝材や発泡スチロール製の緩衝材を用いて被包装物を包装箱に収めた場合と同様の効果を得ることができる。かかる包装箱を構成する前記箱体、ベースシート及び面状仕切体は、すべて紙製とすることも可能であり、かかる包装箱は廃棄ないしリサイクルに最適なものとして提供することができる。
【０００６】
前記四つの面状仕切体のうちの二つの面状仕切体又は三つの面状仕切体を、折り目を介して連接されこの折り目に沿った折りを施されると共に、この折られた箇所を箱体のコーナーに内接される端部としてこの箱体内に納められるようにしておくこともある。
【０００７】
また、幅と長さを持った板紙の幅方向中程の位置を通ってこの板紙を二分する仮想の直線に沿って、
この板紙に対しその両端部につなぎ目を、両つなぎ目間に切れ目を施すと共に、このつなぎ目に前記仮想の直線に沿った第一の折り目を施し、
かつ、この板紙に、前記仮想の直線を挟んだ両側においてそれぞれ、幅方向に沿った第二の折り目を一箇所施し、
この第一及び第二の折り目に沿った折りを施すことにより前記四つの面状仕切体を構成させるようにしておくこともある。
【０００８】
このようにした場合、面状仕切体の取り扱いや、箱体へのセット作業の容易化を図ることができると共に、抜型を利用して無駄少なく原紙から仕切シートを得ることができ、いわゆる取り都合が良くなる。
【発明の効果】
【０００９】
この発明にかかる包装箱によれば、いずれもシートないし面状をなすベースシートと面状仕切体との組み合わせにより、箱体内の空間を区分し、区分された各空間内においてそれぞれ被包装物をがさつきなく保持することができ、箱体内での被包装物のがさつきの抑止ないし保護を、簡素な構造を持って効果的になし得る。かかる包装箱を構成する箱体、ベースシート及び面状仕切体は、すべて紙製とすることも可能であり、かかる包装箱は廃棄ないしリサイクルに最適なものとして提供することができる。
【図面の簡単な説明】
【００１０】
【図１】図１は実施の形態にかかる包装箱の第一例を構成する外装部材と内装部材とを分離した状態で示した斜視図である。
【図２】図２は包装箱の第一例を構成する外装部材内に内装部材を納めた状態を外装部材としての箱体の上面開放部を開放させた状態で見た平面図である。
【図３】図３は実施の形態にかかる包装箱の第二例を構成する外装部材と内装部材とを分離した状態で示した斜視図である。
【図４】図４は包装箱の第二例を構成する外装部材内に内装部材を納めた状態を外装部材としての箱体の上面開放部を開放させた状態で見た平面図である。
【図５】図５は実施の形態にかかる包装箱の第三例を構成する外装部材と内装部材とを分離した状態で示した斜視図である。
【図６】図６は包装箱の第三例を構成する内装部材としての面状仕切体の平面図であり、同図中の想像線は外装部材としての箱体の上面開放部の輪郭である。
【図７】図７は包装箱の第三例を構成する外装部材内に内装部材を納めた状態を外装部材としての箱体の上面開放部を開放させた状態で見た平面図である。
【図８】図８は包装箱の第三例を構成する内装部材としての面状仕切体を構成する仕切シートに折りを施す前の状態を示した平面図である。
【発明を実施するための形態】
【００１１】
以下、図１〜図８に基づいて、この発明の典型的な実施の形態について、説明する。この実施の形態にかかる包装箱は、外装部材となる箱体１と、被包装物と一緒にこの箱体１内に納められる内装部材とから構成されている。
【００１２】
前記箱体１は、上面開放部１ｃを蓋又はフラップにより閉塞されて六面体の外観を呈するようになっている。図示の例では、かかる箱体１は、長方形の底面１ａと、これを囲う四つの側面１ｂ、１ｂ…とを有し、この四つの側面１ｂ、１ｂ…の上縁によって前記上面開放部１ｃが形成されている。図示の例では、かかる四つの側面１ｂ、１ｂ…にはそれぞれ、前記上縁を折り目１ｅとしてこの側面１ｂに連らなるフラップ１ｄが備えられており、この折り目１ｅを利用して各フラップ１ｄを箱体１の内方に折り込むことで前記上面開放部１ｃを閉塞するようになっている。かかる箱体１は、典型的には、板紙や段ボールによって構成される。
【００１３】
前記内装部材は、一枚のベースシート２と、四つの面状仕切体３…３とから構成されている。図１及び図２に示される第一例では、四つの面状仕切体３…３は、独立した四枚の仕切シート３ａ…３ａから構成されている。図３及び図４に示される第二例では、四つの面状仕切体３…３は、二枚の仕切シート３ａ、３ａから構成され、一枚の仕切シート３ａによって二つの面状仕切体３、３が構成されるようになっている。図５〜図８に示される第三例では、四つの面状仕切体３…３は、一枚の仕切シート３ａから構成されるようになっている。
【００１４】
前記ベースシート２は、前記箱体１の底面１ａ上に敷き込まれるようになっている。図示の例では、かかるベースシート２は前記底面１ａと略同じ外郭形状と大きさとを備え、前記上面開放部１ｃから箱体１内に納められて前記底面１ａの全体を覆ってこの底面１ａ上に敷き込まれるようになっている。かかるベースシート２は、後述の面状仕切体３の辺部３ｃに形成された頂部３ｄが食い込み又はこの頂部３ｄと噛み合う構造となっている。図示の例では、かかるベースシート２は、片面段ボールとして構成されている。図示の例では、かかるベースシート２のライナー２ａを前記底面１ａに接しさせ、したがって、波形に加工された芯２ｂの側を上面開放部１ｃ側に向けて、箱体１内にベースシート２が敷き込まれている。後述の面状仕切体３の辺部３ｃに形成された頂部３ｄはかかるベースシート２の芯２ｂの凹所に入り込みかかるベースシート２と噛み合うようになっている。
【００１５】
図示の例とは別に、かかるベースシート２は、後述の面状仕切体３の辺部３ｃに形成された頂部３ｄが入り込む複数の凹所あるいは穴を備えたシートなどを用いることもできる。また、かかるベースシート２は、不織布などのマット状のものや、発泡プラスチック製のシートなど、後述の面状仕切体３の辺部３ｃに形成された頂部３ｄが食い込む構造のものとすることもできる。
【００１６】
前記四つの面状仕切体３…３は、図示の例では、幅と長さとを備えた帯板状を呈している。かかる面状仕切体３は、典型的には、板紙によって構成される。
【００１７】
かかる四つの面状仕切体３…３は、それぞれその一端部３ｂを前記箱体１の隣り合うコーナー１ｆの一方に内接させ且つその他端部３ｂを前記箱体１の隣り合うコーナー１ｆの他方に内接させて弓状に湾曲された状態で前記ベースシート２上において前記箱体１内に納められてこの箱体１内の空間を五つに区分するようになっている。
【００１８】
図示の例では、四つの面状仕切体３…３のうちの二つは、前記箱体１の底面１ａの長さ寸法よりも全長を長くする長さ側面状仕切体３’となっており、また、その余の二つは前記箱体１の底面１ａの幅寸法よりも全長を長くするが前記長さ側面状仕切体３’より全長を短くする幅側面状仕切体３”となっている。四つの面状仕切体３…３の幅寸法はそれぞれ、前記箱体１の底面１ａから上面開放部１ｃまでの寸法よりもやや小さくなっている。
【００１９】
また、かかる面状仕切体３における前記ベースシート２に接する辺部３ｃは、頂部３ｄを尖らせた波形状に成形されている。図示の例では、四つの面状仕切体３…３の長さ方向に沿った辺部３ｃがそれぞれ波形状に成形されている。図示の例では、かかる波形の山は二等辺三角形の斜辺によって構成された様子となっており、これにより前記波形の頂部３ｄが尖らされている。
【００２０】
四つの面状仕切体３…３はそれぞれ、前記のように弓状に湾曲された状態で、箱体１の隣り合うコーナー１ｆ間にある側面１ｂに湾曲内側の面を向き合わせてこの側面１ｂとの間に他の空間Ｓから区分された空間Ｓを形成させる。また、このように弓状に湾曲された四つの面状仕切体３…３の湾曲外側には、かかる四つの面状仕切体３…３によって、箱体１の中央に他の空間Ｓから区分された空間Ｓ’が形成される。かかる四つの面状仕切体３…３による箱体１内の空間の区分状態は、前記頂部３ｄをベースシート２に食い込ませ又は噛み合わせることで、安定的に維持される。また、前記面状仕切体３は前記のように区分された空間Ｓ’への被包装物の納め入れにより、かかる被包装物の形状や大きさによってこの面状仕切体３の両端部３ｂ、３ｂ間においてさらに変形される厚さに構成されている。そして、この面状仕切体３の変形状態も前記頂部３ｄをベースシート２に食い込ませ又は噛み合わせることで、安定的に維持される。これにより、四つの面状仕切体３…３によって区分された箱体１内の各空間Ｓ…Ｓ’の全部又は一部に、がさつきなく被包装物を納め保持させることができ、気泡緩衝材や発泡スチロール製の緩衝材を用いて被包装物を包装箱に収めた場合と同様の効果を得ることができる。かかる包装箱を構成する前記箱体１、ベースシート２及び面状仕切体３は、すべて紙製とすることも可能であり、かかる包装箱は廃棄ないしリサイクルに最適なものとして提供することができる。
【００２１】
前記第二例にあつては、四つの面状仕切体３…３のうちの二つの面状仕切体３は、折り目３ｅを介して連接されこの折り目３ｅに沿った折りを施されると共に、この折られた箇所を箱体１のコーナー１ｆに内接される端部３ｂとしてこの箱体１内に納められるようになっている。この第二例にあっては、仕切シート３ａは、帯板状を呈すると共に、その中間に幅方向に亘る折り目３ｅが形成されており、この折り目３ｅを挟んだ一方が前記連接された二つの面状仕切体３の一方となり、かつ、この折り目３ｅを挟んだ他方が前記連接された二つの面状仕切体３の他方となっている。図示は省略するが、このような仕切シート３ａに二箇所の折り目を施すことで、一枚の仕切シート３ａが三つの面状仕切体３…３となるようにすることもできる。このように複数の面状仕切体３を一枚の仕切シート３ａとした場合、その余の面状仕切体３は第二例の場合と異なり、第一例のように独立した仕切シート３ａによって構成しても構わない。
【００２２】
前記第三例にあっては、幅と長さを持った板紙（仕切シート３ａ）の幅方向中程の位置を通ってこの板紙を二分する仮想の直線ｘに沿って、
この板紙に対しその両端部３ｂにつなぎ目３ｆを、両つなぎ目３ｆ、３ｆ間に切れ目３ｇを施すと共に、このつなぎ目３ｆに前記仮想の直線ｘに沿った第一の折り目３ｈを施し、
かつ、この板紙に、前記仮想の直線ｘを挟んだ両側においてそれぞれ、幅方向に沿った第二の折り目３ｉを一箇所施し、
この第一及び第二の折り目３ｈ、３ｉに沿った折りを施すことにより四つの面状仕切体３…３が構成されるようになっている。
【００２３】
かかる第三例にあっては、前記切れ目３ｇが前記の波形状となっており、また、仕切シート３ａの長さ方向に沿った両辺部３ｃ、３ｃも前記波形状となっており、これにより、構成される四つの面状仕切体３…３はそれぞれ、その長さ方向に沿った辺部３ｃを波形状としたものとなっている。
【００２４】
この第三例にあっては、前記第二の折り目３ｉは、仕切シート３ａの長さ方向中程の位置よりも、前記仮想の直線ｘを挟んだ一方側では仕切シート３ａの一端部３ｂ側に位置され、前記仮想の直線ｘを挟んだ他方側では仕切シート３ａの他端部３ｂ側に位置され、前記仮想の直線ｘを挟んだ両側にそれぞれ、前記長さ側面状仕切体３’と幅側面状仕切体３”とが形成されるようになっている。
【００２５】
この第三例のようにした場合、一枚の仕切シート３ａから四つの面状仕切体３…３を適切に構成させることができ、面状仕切体３の取り扱いや、箱体１へのセット作業の容易化を図ることができると共に、抜型を利用して無駄少なく原紙から仕切シート３ａを得ることができ、いわゆる取り都合が良くなる。この第三例では、折りを施した仕切シート３ａを箱体１内に納めるにあたっては、各面状仕切体３の両端部３ｂ、３ｂ間の距離を狭めるように図６の状態から各面状仕切体３をさらに大きく湾曲させる必要があるようになっている。（図７）
【符号の説明】
【００２６】
１  箱体
１ａ  底面
１ｃ  上面開放部
１ｆ  コーナー
２  ベースシート
３  面状仕切体
３ｂ  端部
３ｃ  辺部
３ｄ  頂部
【図１】
0005777496.tif 000002
【図２】
0005777496.tif 000003
【図３】
0005777496.tif 000004
【図４】
0005777496.tif 000005
【図５】
0005777496.tif 000006
【図６】
0005777496.tif 000007
【図７】
0005777496.tif 000008
【図８】
0005777496.tif 000009